(57)【特許請求の範囲】
【請求項１】
下記式Ａで表される染料。
【化５】
0003617843.tif 000307
（式中、Ｘは水素原子を、Ｚは下記一般式（１１）又は（１７）で表される基を表し、Ｒ1又はＲ2は夫々独立に置換又は非置換のアルキル基を表し、Ｒ1とＲ2とは互いに環を形成してもよい。Ｒ3は水素原子、置換又は非置換のアルキル基を表し、ｎは０〜３の整数を表す。）
【化６】
0003617843.tif 000308
（式中のＲ4は水素原子、置換又は非置換のアルキル基を表し、Ｒ5は水素原子又はアラルキル基を表し、Ｅは窒素原子又は炭素原子を表し、ｍは０〜３までの整数を表す。）
【化７】
0003617843.tif 000309
（式中のＲ4は水素原子又はアルキル基を表し、Ｒ5は水素原子又はアラルキル基を表す。）
【請求項２】
基材シート及び該基材シートの一方の面に形成された染料担持層からなり、該染料担持層に包含される染料が請求項１に記載の染料であることを特徴とする熱転写シート。
【発明の詳細な説明】
【０００１】
【産業上の利用分野】
本発明は染料及び熱転写シートに関し、更に詳しくは発色濃度、鮮明性、耐光性及び安全性等に優れた染料を与える中間体、染料及び上記特性に優れた記録画像を形成することが出来る熱転写シートの提供を目的とする。
【０００２】
【従来の技術】
従来、種々の熱転写方法が公知であるが、それらの中で昇華性染料を記録剤とし、これを紙等の基材シートに担持させて熱転写シートとし、昇華性染料で染着可能な被転写材、例えば、ポリエステル製織布等に重ね、熱転写シートの裏面からパターン状に熱エネルギーを与えて、昇華性染料を被転写材に移行させる昇華転写方法が行われている。
又、最近では上記昇華タイプの熱転写方式を使用して、紙やプラスチックフイルム上に各種のフルカラー画像を形成する方法が提案されている。この場合には加熱手段としてプリンターのサーマルヘッドが使用され、極めて短時間の加熱によって３色又は４色の多数の色ドットを被転写材に転移させ、該多色の色ドットにより原稿のフルカラー画像を再現する。
この様に形成された画像は、使用する色材が染料であることから非常に鮮明であり、且つ透明性に優れている為、得られる画像は中間色の再現性や階調性に優れ、従来のオフセット印刷やグラビア印刷による画像と同様であり、且つフルカラー写真画像に匹敵する高品質の画像が形成可能となっている。
【０００３】
【発明が解決しようとしている問題点】
しかしながら、上記熱転写方法における最も重要な問題として、形成された画像の発色濃度、鮮明性及び耐光性等の問題があるが、これらの問題を十分解決した染料は未だ知られていない。
従って、本発明の目的は、昇華性染料を使用する熱転写方法において、十分に濃度のある鮮明な画像を与え、しかも形成された画像が優れた耐光性を示す染料及び熱転写シートを提供することである。
【０００４】
【問題点を解決する為の手段】
上記目的は以下の本発明によって達成される。即ち、本発明は、下記式Ａで表される染料、及び該染料を使用した熱転写シートである。
0003617843.tif 000002
（式中、Ｘは水素原子を、Ｚは下記一般式（１１）又は（１７）で表される基を表し、Ｒ1又はＲ2は夫々独立に置換又は非置換のアルキル基を表し、Ｒ1とＲ2とは互いに環を形成してもよい。Ｒ3は水素原子、置換又は非置換のアルキル基を表し、ｎは０〜３の整数を表す。）
0003617843.tif 000003
（式中のＲ4は水素原子、置換又は非置換のアルキル基を表し、Ｒ5は水素原子又はアラルキル基を表し、Ｅは窒素原子又は炭素原子を表し、ｍは０〜３までの整数を表す。）
0003617843.tif 000004
（式中のＲ4は水素原子又はアルキル基を表し、Ｒ5は水素原子又はアラルキル基を表す。）
【０００５】
【作用】
特定の構造の染料を使用することによって、優れた発色濃度、鮮明性及び耐光性に優れた記録画像を与える熱転写シートが提供される。
【０００６】
【好ましい実施態様】
次に好ましい実施態様を挙げて本発明を更に詳細に説明する。
本発明のピリジン誘導体は前記一般式Ａ又はＢで表され、例えば、２−クロル−５−ニトロピリジン５０ｇ及びジエチルアミン１５０ｍｌを封管中に仕込み、１２０℃で７時間加熱し、析出した結晶は純水を加えた後濾取して水洗し、メタノール３００ｍｌにて再結晶し、２−ジエチルアミノ−５−ニトロピリジン５３ｇを得た（収率８６％、融点７５〜７６℃）。
上記の２−ジエチルアミノ−５−ニトロピリジン４０ｇを１０％Ｐｄ−Ｃ２ｇを用いてメタノール１リットル中で接触還元を行い、触媒を濾過後濾液を濃縮し、３２ｇの５−アミノ−２−ジエチルアミノピリジンを得た（収率９５％、オイル状）。
【０００７】
本発明の染料は上記のピリジン誘導体Ａ又はＢを公知の任意のカップラーに公知の方法でカップリングさせることによって得られ、下記一般式Ａ´又はＢ´で表される。
【化９】
0003617843.tif 000005
（式中のＲ１〜Ｒ３、Ｘ、Ｙ及びｎは前記定義の通りであり、式中のＡは任意のカップラーの残基を表す）。
上記染料の幾つかの合成法について具体的に例示する。
＜合成例１＞
２−アセチルアミノ−４，６−ジクロロ−５−メチルフェノール７ｇと５−アミノ−２−ジエチルアミノピリジン５ｇをエタノール２４０ｍｌに溶解させ、撹拌しながら炭酸ナトリウム１５．８ｇの水溶液８０ｍｌ及び赤血塩１１．９ｇの水溶液６０ｍｌを順次加え室温で２時間撹拌した。その後水３００ｍｌを加え３０分間撹拌した後、酢酸エチル４００ｍｌで抽出した。有機層を分離し、水洗、乾燥後留去した。残渣をシリカゲルカラムで精製した後、エタノールから２回再結晶して０．５ｇの下記構造式の染料を得た。図３に得られた染料の紫外可視吸収スペクトルを示す。
【０００８】
【化１０】
0003617843.tif 000006
＜合成例２＞
２−プロピルアミド−１−ナフトール５ｇと５−アミノ−２−ジエチルアミノピリジン７．０ｇをエタノール２５０ｍｌに溶解させ、撹拌しながら炭酸ナトリウム１５．８ｇの水溶液８０ｍｌ及び赤血塩１１．９ｇの水溶液６０ｍｌを加え室温で２時間撹拌した。その後水３００ｍｌを加え３０分間撹拌した後、酢酸エチル４００ｍｌで抽出した。有機層を分離し水洗、乾燥後留去した。残渣をシリカゲルカラムで精製した後、エタノールから２回再結晶して３．７ｇの下記構造式の染料を得た。図４に得られた染料の紫外可視吸収スペクトルを示す。
【０００９】
【化１１】
0003617843.tif 000007
上記と同様の酸化縮合によって得られる染料のλｍａｘ、モル吸光系数（ε）及び融点（ｍｐ）を表１〜表３に例示する。
（１）下記構造の染料
【化１２】
0003617843.tif 000008
【００１０】
【表１】
0003617843.tif 000009
（２）下記構造の染料
【化１３】
0003617843.tif 000010
【００１１】
【表２】
0003617843.tif 000011
（３）下記構造の染料
【化１４】
0003617843.tif 000012
【００１２】
【表３】
0003617843.tif 000013
【００１３】
表３続き
0003617843.tif 000014
【００１４】
表３の続き
0003617843.tif 000015
（４）下記構造の染料
【化１５】
0003617843.tif 000016
（式中のＫは−Ｎ＝Ｎ−を表し、Ｒ４〜Ｒ８は水素原子、ハロゲン原子、ニトロ基、シアノ基、置換又は非置換のアルキル基、アルコキシカルボニル基、アルコキシアルキル基、アルコキシカルボニルアルキル基、アルコキシ基、シクロアルキル基又はアルコキシカルボキシアルキル基を表す。）
【００１５】
（４−ａ）下記構造の染料
【化１６】
0003617843.tif 000017
（式中のＲ１〜Ｒ８、Ｘ及びｎは前記定義の通りである。）
上記の染料４−ａの具体例及び後述の熱転写シートに用いた場合の性能を下記表４−ａに例示する。
【表４−ａ】
0003617843.tif 000018
【００１６】
表４−ａの続き
0003617843.tif 000019
【００１７】
（４−ｂ）下記構造の染料
【化１７】
0003617843.tif 000020
（式中のＲ１〜Ｒ８、Ｘ、Ｙ及びｎは前記定義の通りである。）
上記の染料４−ｂの具体例及び後述の熱転写シートに用いた場合の性能を下記表４−ｂに例示する。
【００１８】
【表４−ｂ】
0003617843.tif 000021
【００１９】
表４−ｂの続き
0003617843.tif 000022
【００２０】
（５）下記構造の染料
【化１８】
0003617843.tif 000023
（式中のＲ４は水素原子、ハロゲン原子、置換又は非置換のアルキル基、アルコキシ基、アミノ基、ウレイド基、カルバモイル基、スルファモイル基、−ＮＨＣＯＲ８、−ＮＨＣＳＲ８、−ＮＨＣＯＮ（Ｒ８）（Ｒ９）、−ＮＨＣＳＮ（Ｒ８）（Ｒ９）、−ＮＨＣＯＯＲ８、−ＮＨＣＳＯＲ８、−ＮＨＣＯＮＨＲ８、−ＮＨＣＳＮＨＲ８、−ＮＨＳＯ２Ｒ８、−ＮＨＳＯ２Ｎ（Ｒ８）（Ｒ９）を表し、Ｒ８又はＲ９は水素原子、ハロゲン原子、置換又は非置換のアルキル基、アリール基、ビニル基、アリル基、シクロアルキル基、芳香族複素環基を表し、Ｒ８とＲ９とは環を形成してもよい。Ｒ５〜Ｒ７は水素原子、ハロゲン原子、置換又は非置換のアルキル基、アルコキシ基、アミノ基、ホルミルアミノ基、アルキルホルミルアミノ基、スルホニルアミノ基、アルキルスルホニルアミノ基、ウレイド基、カルバモイル基、スルファモイル基又はカルボキシル基を表す。）
【００２１】
一般式５の染料の具体例及び後述の熱転写シートに用いた場合の性能を下記表５に例示する。
【化１９】
0003617843.tif 000024
【００２２】
【表５】
0003617843.tif 000025
【００２３】
表５の続き
0003617843.tif 000026
【００２４】
表５の続き
0003617843.tif 000027
【００２５】
表５の続き
0003617843.tif 000028
【００２６】
表５の続き
0003617843.tif 000029
【００２７】
表５の続き
0003617843.tif 000030
【００２８】
表５の続き
0003617843.tif 000031
【００２９】
表５の続き（５−ａ）
0003617843.tif 000032
【００３０】
表５の続き（５−ａ）
0003617843.tif 000033
【００３１】
表５の続き（５−ａ）
0003617843.tif 000034
【００３２】
表５の続き（５−ａ）
0003617843.tif 000035
【００３３】
表５の続き（５−ａ）
0003617843.tif 000036
【００３４】
表５の続き（５−ａ）
0003617843.tif 000037
【００３５】
表５の続き（５−ａ）
0003617843.tif 000038
【００３６】
表５の続き（５−ｂ）
0003617843.tif 000039
【００３７】
表５の続き（５−ｂ）
0003617843.tif 000040
【００３８】
表５の続き（５−ｂ）
0003617843.tif 000041
【００３９】
表５の続き（５−ｂ）
0003617843.tif 000042
【００４０】
表５の続き（５−ｂ）
0003617843.tif 000043
【００４１】
表５の続き（５−ｂ）
0003617843.tif 000044
【００４２】
表５の続き（５−ｂ）
0003617843.tif 000045
【００４３】
表５の続き（５−ｃ）
0003617843.tif 000046
【００４４】
表５の続き（５−ｃ）
0003617843.tif 000047
【００４５】
表５の続き（５−ｃ）
0003617843.tif 000048
【００４６】
表５の続き（５−ｃ）
0003617843.tif 000049
【００４７】
表５の続き（５−ｃ）
0003617843.tif 000050
【００４８】
表５の続き（５−ｃ）
0003617843.tif 000051
【００４９】
表５の続き（５−ｃ）
0003617843.tif 000052
【００５０】
（６）下記構造の染料
【化２０】
0003617843.tif 000053
（式中のＲ４〜Ｒ９は水素原子、ハロゲン原子、置換又は非置換のアルキル基、アルコキシ基、アミノ基、ウレイド基、−ＣＯＮ（Ｒ１０）（Ｒ１１）、−ＣＳＮ（Ｒ１０）（Ｒ１１）、−ＳＯ２Ｎ（Ｒ１０）（Ｒ１１）、−ＣＯＯＲ１０、−ＣＳＯＲ１０を表し、Ｒ１０又はＲ１１は水素原子、ハロゲン原子、置換又は非置換のアルキル基、シクロアルキル基、アリール基、ビニル基、アリル基、シクロアルキル基又は芳香族複素環基を表し、Ｒ１０とＲ１１とは環を形成してもよい。）
一般式６の染料の具体例及び後述の熱転写シートに用いた場合の性能を下記表６に例示する。
【００５１】
【化２１】
0003617843.tif 000054
【００５２】
【表６】
0003617843.tif 000055
【００５３】
表６の続き
0003617843.tif 000056
【００５４】
表６の続き
0003617843.tif 000057
【００５５】
表６の続き
0003617843.tif 000058
【００５６】
表６の続き
0003617843.tif 000059
【００５７】
表６の続き
0003617843.tif 000060
【００５８】
表６の続き
0003617843.tif 000061
【００５９】
表６の続き
0003617843.tif 000062
【００６０】
表６の続き（６−ａ）
0003617843.tif 000063
【００６１】
表６の続き（６−ａ）
0003617843.tif 000064
【００６２】
表６の続き（６−ａ）
0003617843.tif 000065
【００６３】
表６の続き（６−ａ）
0003617843.tif 000066
【００６４】
表６の続き（６−ｂ）
0003617843.tif 000067
【００６５】
表６の続き（６−ｂ）
0003617843.tif 000068
【００６６】
表６の続き（６−ｂ）
0003617843.tif 000069
【００６７】
表６の続き（６−ｂ）
0003617843.tif 000070
【００６８】
表６の続き（６−ｃ）
0003617843.tif 000071
【００６９】
表６の続き（６−ｃ）
0003617843.tif 000072
【００７０】
表６の続き（６−ｃ）
0003617843.tif 000073
【００７１】
表６の続き（６−ｃ）
0003617843.tif 000074
【００７２】
（７）下記構造の染料
【化２２】
0003617843.tif 000075
（式中のＫは−Ｎ＝Ｎ−を表し、Ｒ４は水素原子、ハロゲン原子、置換又は非置換のアルキル基、シクロアルキル基、アリル基、アリール基、アラルキル基又は芳香族複素環基を表し、Ｒ５はシアノ基、ニトロ基、置換又は非置換のホルミルアミノ基、スルホニルアミノ基、アルコキシカルボニル基、カルバモイル基、スルファモイル基又はウレイド基を表す。）
【００７３】
一般式７の染料の具体例及び後述の熱転写シートに用いた場合の性能を下記表７に例示する。
（７−１）
【化２３】
0003617843.tif 000076
【００７４】
【表７】
0003617843.tif 000077
【００７５】
表７の続き
0003617843.tif 000078
【００７６】
表７の続き
0003617843.tif 000079
【００７７】
表７の続き    （７−１−ａ  Ｋ：−Ｎ＝Ｎ−）
0003617843.tif 000080
【００７８】
表７の続き    （７−１−ａ  Ｋ：−Ｎ＝Ｎ−）
0003617843.tif 000081
【００７９】
表７の続き    （７−１−ａ  Ｋ：−Ｎ＝Ｎ−）
0003617843.tif 000082
【００８０】
表７の続き    （７−１−ｂ  Ｋ：−Ｎ＝Ｎ−）
0003617843.tif 000083
【００８１】
表７の続き    （７−１−ｂ  Ｋ：−Ｎ＝Ｎ−）
0003617843.tif 000084
【００８２】
表７の続き    （７−１−ｂ  Ｋ：−Ｎ＝Ｎ−）
0003617843.tif 000085
【００８３】
表７の続き    （７−１−ｃ  Ｋ：−Ｎ＝Ｎ−）
0003617843.tif 000086
【００８４】
表７の続き    （７−１−ｃ  Ｋ：−Ｎ＝Ｎ−）
0003617843.tif 000087
【００８５】
表７の続き    （７−１−ｃ  Ｋ：−Ｎ＝Ｎ−）
0003617843.tif 000088
【００８６】
（７−２）
【化２４】
0003617843.tif 000089
【００８７】
表７の続き
0003617843.tif 000090
【００８８】
表７の続き
0003617843.tif 000091
【００８９】
表７の続き
0003617843.tif 000092
【００９０】
表７の続き（７−２−ａ  Ｋ：−Ｎ＝Ｎ−）
0003617843.tif 000093
【００９１】
表７の続き（７−２−ａ  Ｋ：−Ｎ＝Ｎ−）
0003617843.tif 000094
【００９２】
表７の続き（７−２−ａ  Ｋ：−Ｎ＝Ｎ−）
0003617843.tif 000095
【００９３】
表７の続き（７−２−ｂ  Ｋ：−Ｎ＝Ｎ−）
0003617843.tif 000096
【００９４】
表７の続き（７−２−ｂ  Ｋ：−Ｎ＝Ｎ−）
0003617843.tif 000097
【００９５】
表７の続き（７−２−ｂ  Ｋ：−Ｎ＝Ｎ−）
0003617843.tif 000098
【００９６】
表７の続き（７−２−ｃ  Ｋ：−Ｎ＝Ｎ−）
0003617843.tif 000099
【００９７】
表７の続き（７−２−ｃ  Ｋ：−Ｎ＝Ｎ−）
0003617843.tif 000100
【００９８】
表７の続き（７−２−ｃ  Ｋ：−Ｎ＝Ｎ−）
0003617843.tif 000101
【００９９】
（８）下記構造の染料
【化２５】
0003617843.tif 000102
（式中のＺは水素原子又はシアノ基である。）
一般式８の染料の具体例及び後述の熱転写シートに用いた場合の性能を下記表８に例示する。
【化２６】
0003617843.tif 000103
【０１００】
【表８】
0003617843.tif 000104
【０１０１】
表８の続き
0003617843.tif 000105
【０１０２】
表８の続き
0003617843.tif 000106
【０１０３】
表８の続き（８−ａ  Ｚ：Ｈ）
0003617843.tif 000107
【０１０４】
表８の続き（８−ａ  Ｚ：ＣＮ）
0003617843.tif 000108
【０１０５】
表８の続き（８−ｂ  Ｚ：Ｈ）
0003617843.tif 000109
【０１０６】
表８の続き（８−ｂ  Ｚ：ＣＮ）
0003617843.tif 000110
【０１０７】
（９）下記構造の染料
【化２７】
0003617843.tif 000111
（式中のＲ４又はＲ５は水素原子、ハロゲン原子、シアノ基、ニトロ基、置換又は非置換のアルキル基、アリール基又は芳香族複素環基、ホルミルアミノ基、スルホニルアミノ基、アルコキシカルボニル基、カルバモイル基、スルファモイル基を表す。）
一般式９の染料の具体例及び後述の熱転写シートに用いた場合の性能を下記表９に例示する。
【化２８】
0003617843.tif 000112
（式中のＲ１〜Ｒ５、Ｘ、Ｙ及びｎは前記定義の通りである。）
【０１０８】
【表９】
0003617843.tif 000113
【０１０９】
表９の続き
0003617843.tif 000114
【０１１０】
表９の続き（９−ａ）
0003617843.tif 000115
【０１１１】
表９の続き（９−ｂ）
0003617843.tif 000116
【０１１２】
（１０）下記構造の染料
【化２９】
0003617843.tif 000117
【０１１３】
（式中のＫは−Ｎ＝Ｎ−を表し、Ｒ４又はＲ５は水素原子、ハロゲン原子、水酸基、シアノ基、ニトロ基、置換又は非置換のアルキル基、アリル基、アリール基、アラルキル基、アルコキシアルキル基、アルコキシ基、複素環基、アラルキルアルコキシアルキル基、カルバモイル基、スルファモイル基、オキシカルボニルアルキル基、オキシカルボニル基、カルボキシアルキル基、ホルミルアミノ基、スルホニルアミノ基、アミノ基を表し、Ｒ６は水素原子、置換又は非置換のアルキル基、アリル基、アリール基、アラルキル基、アルコキシアルキル基、アラルキルオキシアルキル基、アリルオキシアルキル基、アリールオキシアルキル基、アルコキシカルボニルアルキル基、カルボキシアルキル基、複素環基、カルバモイル基、スルファモイル基、シクロアルキル基を表す。）
一般式１０の染料の具体例及び後述の熱転写シートに用いた場合の性能を下記表１０に例示する
【０１１４】
【化３０】
0003617843.tif 000118
【０１１５】
【化３１】
0003617843.tif 000119
【０１１６】
【化３２】
0003617843.tif 000120
【０１１７】
【表１０】
（１０−１−ａ  Ｋ：−Ｎ＝Ｎ−）
0003617843.tif 000121
【０１１８】
表１０の続き（１０−２−ａ  Ｋ：−Ｎ＝Ｎ−）
0003617843.tif 000122
【０１１９】
表１０の続き（１０−３−ａ  Ｋ：−Ｎ＝Ｎ−）
0003617843.tif 000123
【０１２０】
表１０の続き（１０−１−ｂ  Ｋ：−Ｎ＝Ｎ−）
0003617843.tif 000124
【０１２１】
表１０の続き（１０−２−ｂ  Ｋ：−Ｎ＝Ｎ−）
0003617843.tif 000125
【０１２２】
表１０の続き（１０−１−ｃ  Ｋ：−Ｎ＝Ｎ−）
0003617843.tif 000126
【０１２３】
表１０の続き（１０−２−ｃ  Ｋ：−Ｎ＝Ｎ−）
0003617843.tif 000127
【０１２４】
表１０の続き（１０−３−ｃ  Ｋ：−Ｎ＝Ｎ−）
0003617843.tif 000128
【０１２５】
（１１）下記構造の染料
【化３３】
0003617843.tif 000129
（式中のＫは−Ｎ＝Ｎ−を表し、Ｒ４又はＲ５は水素原子、ハロゲン原子、シアノ基、ニトロ基、置換又は非置換のアミノ基、ホルミルアミノ基、スルホニルアミノ基、アルキル基、アリル基、アリール基、アラルキル基、アルコキシアルキル基、アラルキルオキシアルキル基、アリルオキシアルキル基、アリールオキシアルキル基、カルバモイル基、スルファモイル基、オキシカルボニル基、複素環基を表し、Ｒ６は水素原子、置換又は非置換のアルキル基、アリル基、アリール基、アラルキル基、アルコキシアルキル基、アラルキルオキシアルキル基、アリルオキシアルキル基、アリールオキシアルキル基、アルコキシカルボニルアルキル基、カルボキシアルキル基、複素環基、カルバモイル基、スルファモイル基、シクロアルキル基を表す。）
一般式１１の染料の具体例及び後述の熱転写シートに用いた場合の性能を下記表１１に例示する。
【０１２６】
【化３４】
0003617843.tif 000130
【０１２７】
【化３５】
0003617843.tif 000131
【０１２８】
【表１１】
0003617843.tif 000132
【０１２９】
表１１の続き
0003617843.tif 000133
【０１３０】
表１１の続き
0003617843.tif 000134
【０１３１】
表１１の続き
0003617843.tif 000135
【０１３２】
（１２）下記構造の染料
【化３６】
0003617843.tif 000136
（式中のＫは−Ｎ＝Ｎ−を表し、Ｒ４又はＲ５は水素原子、ハロゲン原子、シアノ基、ニトロ基、置換又は非置換のアミノ基、ホルミルアミノ基、スルホニルアミノ基、アルキル基、アリル基、アリール基、アラルキル基、アルコキシアルキル基、アラルキルオキシアルキル基、アリールオキシアルキル基、カルバモイル基、スルファモイル基、オキシカルボニル基、複素環基、アルコキシカルボニルアルキル基を表し、Ｒ６は水素原子、置換又は非置換のアルキル基、アリル基、アリール基、アラルキル基、アルコキシアルキル基、アラルキルオキシアルキル基、アリルオキシアルキル基、アリールオキシアルキル基、アルコキシカルボニルアルキル基、カルボキシアルキル基、複素環基、カルバモイル基、スルファモイル基、シクロアルキル基を表わす。）
一般式１２の染料の具体例及び後述の熱転写シートに用いた場合の性能を下記表１２に例示する
【０１３３】
【化３７】
0003617843.tif 000137
【０１３４】
【表１２】
0003617843.tif 000138
【０１３５】
表１２の続き
0003617843.tif 000139
【０１３６】
（１３）下記構造の染料
【化３８】
0003617843.tif 000140
（式中のＫは−Ｎ＝Ｎ−を表し、Ｑ´は炭素、水素、窒素、酸素及び硫黄からなる環であり、例えば、下記の環が挙げられる。）
【化３９】
0003617843.tif 000141
（式中のＲ４又はＲ５は水素原子、ハロゲン原子、水酸基、シアノ基、ニトロ基、アミノ基、アミド基、置換又は非置換のアルキル基、アリル基、アリール基、アラルキル基、アルコキシアルキル基、アルコキシ基、複素環基、、オキシカルボニル基、カルボキシ基、カルバモイル基、スルファモイル基、ホルミルアミノ基、スルホニルアミノ基を表し、Ｒ６は水素原子、置換又は非置換のアルキル基、アリル基、アリール基、アラルキル基、複素環、アルコキシアルキル基、、オキシカルボニルアルキル基、カルボキシアルキル基、カルバモイル基、スルファモイル基、シクロアルキル基を表し、ｍは０〜４の整数を表す。）
【０１３７】
【化４０】
0003617843.tif 000142
【０１３８】
一般式１３の染料の具体例及び後述する熱転写シートに用いた場合の性能を以下の表１３に示す。
【表１３】
0003617843.tif 000143
【０１３９】
表１３の続き
0003617843.tif 000144
【０１４０】
表１３の続き
0003617843.tif 000145
【０１４１】
表１３の続き１３−２−ａ  Ｋ：−Ｎ＝Ｎ−
0003617843.tif 000146
【０１４２】
表１３の続き１３−２−ａ  Ｋ：−Ｎ＝Ｎ−
0003617843.tif 000147
【０１４３】
表１３の続き１３−２−ｂ  Ｋ：−Ｎ＝Ｎ−
0003617843.tif 000148
【０１４４】
表１３の続き１３−２−ｂ  Ｋ：−Ｎ＝Ｎ−
0003617843.tif 000149
【０１４５】
表１３の続き  １３−２−ｃ  Ｋ：−Ｎ＝Ｎ−
0003617843.tif 000150
【０１４６】
表１３の続き  １３−２−ｃ  Ｋ：−Ｎ＝Ｎ−
0003617843.tif 000151
【０１４７】
（１４）下記構造の染料
【化４１】
0003617843.tif 000152
（式中のＫは−Ｎ＝Ｎ−を表し、Ｑ´は炭素、水素、窒素、酸素及び硫黄からなる環であり、例えば、下記の環が挙げられる。）
【０１４８】
【化４２】
0003617843.tif 000153
（Ｒ４は水素原子、置換又は非置換のアルキル基、アリル基、アリール基、アラルキル基、複素環基、アルコキシアルキル基、オキシカルボニルアルキル基、カルボキシアルキル基、カルバモイル基、スルファモイル基、シクロアルキル基を表し、Ｒ５又はＲ６は水素原子、ハロゲン原子、シアノ基、ニトロ基、置換又は非置換のアミノ基、ホルミルアミノ基、スルホニルアミノ基、ウレイド基、アルキル基、アリル基、ビニル基、アリール基、アラルキル基、アルコキシアルキル基、アラルキルオキシアルキル基、アリルオキシアルキル基、アリールオキシアルキル基、カルバモイル基、スルファモイル基、オキシカルボニル基、カルボキシ基、アルコキシカルボニルアルキル基、カルボキシアルキル基、複素環基、アルコキシカルボキシアルキル基、チオアルキル基、メルカプト基、シクロアルキル基を表す。）
【０１４９】
【表１４】
（１４の化合物全てに共通）
0003617843.tif 000154
【０１５０】
【化４３】
0003617843.tif 000155
【０１５１】
表１４の続き
0003617843.tif 000156
【０１５２】
【化４４】
0003617843.tif 000157
【０１５３】
表１４の続き
0003617843.tif 000158
【０１５４】
（１５）下記の構造で表される染料
【化４５】
0003617843.tif 000159
（式中のＲ４〜Ｒ６は後に定義の通りである）
【０１５５】
【化４６】
0003617843.tif 000160
【０１５６】
【化４７】
0003617843.tif 000161
【０１５７】
【化４８】
0003617843.tif 000162
【０１５８】
【化４９】
0003617843.tif 000163
【０１５９】
【化５０】
0003617843.tif 000164
【０１６０】
【化５１】
0003617843.tif 000165
【０１６１】
【化５２】
0003617843.tif 000166
【０１６２】
Ｒ４、Ｒ５、Ｒ６の定義：
水素原子、ハロゲン原子、シアノ基、ニトロ基、置換又は非置換のアルキル基、アリル基、アリール基、アラルキル基、アルコキシアルキル基、アラルキルオキシアルキル基、チオアルキル基、アリルオキシアルキル基、アリールオキシアルキル基、カルバモイル基、スルファモイル基、オキシカルボニル基、アミノ基、ホルミルアミノ基、スルホニルアミノ基、アルコキシカルボニルアルキル基、複素環基、シクロアルキル基、アルキルチオ基、アルキルスルフィニル基、アルキルスルホニル基。
Ｒ７の定義：
水素原子、ハロゲン原子、置換又は非置換のアルキル基、アリル基、アリール基、アラルキル基、アルコキシアルキル基、アラルキルオキシアルキル基、アリールオキシアルキル基、複素環基、シクロアルキル基。
Ｒ８の定義：
水素原子、ハロゲン原子、シアノ基、ニトロ基、置換又は非置換のアルキルカルボニル基、アミノ基、アリールカルボニル基、アラルキルカルボニル基、オキシカルボニル基、複素環カルボニル基、アリール基、アリル基、置換又は非置換のアルキル基、アリル基、カルバモイル基、ホルミルアミノ基、スルホニルアミノ基、スルファモイル基、シクロアルキル基。
一般式１５の染料の具体例及び後述の熱転写シートに用いた場合の性能を下記表１５に例示する
【０１６３】
【表１５】
１５−１−ａ
0003617843.tif 000167
【０１６４】
表１５の続き  １５−１−ａ
0003617843.tif 000168
【０１６５】
表１５の続き  １５−１−ｂ
0003617843.tif 000169
【０１６６】
表１５の続き  １５−１−ｂ
0003617843.tif 000170
【０１６７】
表１５の続き  １５−１−ｃ
0003617843.tif 000171
【０１６８】
表１５の続き  １５−１−ｃ
0003617843.tif 000172
【０１６９】
表１５の続き  １５−２−ａ
0003617843.tif 000173
【０１７０】
表１５の続き  １５−２−ａ
0003617843.tif 000174
【０１７１】
表１５の続き１５−２−ｂ
0003617843.tif 000175
【０１７２】
表１５の続き  １５−２−ｂ
0003617843.tif 000176
【０１７３】
表１５の続き  １５−２−ｃ
0003617843.tif 000177
【０１７４】
表１５の続き  １５−２−ｃ
0003617843.tif 000178
【０１７５】
表１５の続き  １５−３−ａ
0003617843.tif 000179
【０１７６】
表１５の続き  １５−３−ｂ
0003617843.tif 000180
【０１７７】
表１５の続き  １５−３−ｃ
0003617843.tif 000181
【０１７８】
表１５の続き  １５−４−ａ
0003617843.tif 000182
【０１７９】
表１５の続き  １５−４−ａ
0003617843.tif 000183
【０１８０】
表１５の続き  １５−４−ｂ
0003617843.tif 000184
【０１８１】
表１５の続き  １５−４−ｂ
0003617843.tif 000185
【０１８２】
表１５の続き  １５−４−ｃ
0003617843.tif 000186
【０１８３】
表１５の続き  １５−４−ｃ
0003617843.tif 000187
【０１８４】
表１５の続き  １５−５−ａ
0003617843.tif 000188
【０１８５】
表１５の続き  １５−５−ａ
0003617843.tif 000189
【０１８６】
表１５の続き  １５−５−ｂ
0003617843.tif 000190
【０１８７】
表１５の続き  １５−５−ｃ
0003617843.tif 000191
【０１８８】
表１５の続き  １５−５−ｃ
0003617843.tif 000192
【０１８９】
表１５の続き  １５−５−ｃ
0003617843.tif 000193
【０１９０】
表１５の続き  １５−６−ａ
0003617843.tif 000194
【０１９１】
表１５の続き  １５−６−ａ
0003617843.tif 000195
【０１９２】
表１５の続き  １５−６−ｂ
0003617843.tif 000196
【０１９３】
表１５の続き  １５−６−ｂ
0003617843.tif 000197
【０１９４】
表１５の続き  １５−６−ａ
0003617843.tif 000198
【０１９５】
表１５の続き  １５−６−ｃ
0003617843.tif 000199
【０１９６】
表１５の続き  １５−７−ａ
0003617843.tif 000200
【０１９７】
表１５の続き  １５−７−ａ
0003617843.tif 000201
【０１９８】
表１５の続き  １５−７−ｂ
0003617843.tif 000202
【０１９９】
表１５の続き  １５−７−ｂ
0003617843.tif 000203
【０２００】
表１５の続き  １５−７−ｃ
0003617843.tif 000204
【０２０１】
表１５の続き  １５−７−ｃ
0003617843.tif 000205
【０２０２】
（１６）下記構造の染料
【化５３】
0003617843.tif 000206
（式中のＫは＝ＣＨ−、＝Ｃ（ＣＮ）−又は＝Ｎ−を表し、Ｒ４又はＲ７は後に定義の通り）
一般式１６の染料の具体例及び後述する熱転写シートに用いた場合の性能を以下の表１６に示す。
【化５４】
0003617843.tif 000207
【０２０３】
【表１６】
１６−ａ  Ｋ：＝Ｎ−
0003617843.tif 000208
【０２０４】
表１６の続き  １６−ａ  Ｋ：＝Ｎ−
0003617843.tif 000209
【０２０５】
表１６の続き  １６−ａ  Ｋ：＝ＣＨ−
0003617843.tif 000210
【０２０６】
表１６の続き  １６−ａ  Ｋ：＝ＣＨ−
0003617843.tif 000211
【０２０７】
表１６の続き  １６−ｂ  Ｋ：＝Ｎ−
0003617843.tif 000212
【０２０８】
表１６の続き  １６−ｂ  Ｋ：＝Ｎ−
0003617843.tif 000213
【０２０９】
表１６の続き  １６−ｂ  Ｋ：＝ＣＨ−
0003617843.tif 000214
【０２１０】
表１６の続き  １６−ｂ  Ｋ：＝ＣＨ−
0003617843.tif 000215
【０２１１】
表１６の続き  １６−ｃ  Ｋ：＝Ｎ−
0003617843.tif 000216
【０２１２】
表１６の続き  １６−ｃ  Ｋ：＝Ｎ−
0003617843.tif 000217
【０２１３】
表１６の続き  １６−ｃ  Ｋ：＝ＣＨ−
0003617843.tif 000218
【０２１４】
表１６の続き  １６−ｃ  Ｋ：＝ＣＨ−
0003617843.tif 000219
【０２１５】
表１６の続き  １６−ａ  Ｋ：＝Ｃ（ＣＮ）−
0003617843.tif 000220
【０２１６】
表１６の続き  １６−ａ  Ｋ：＝Ｃ（ＣＮ）−
0003617843.tif 000221
【０２１７】
表１６の続き  １６−ｂ  Ｋ：＝Ｃ（ＣＮ）−
0003617843.tif 000222
【０２１８】
表１６の続き  １６−ｂ  Ｋ：＝Ｃ（ＣＮ）−
0003617843.tif 000223
【０２１９】
表１６の続き  １６−ｃ  Ｋ：＝Ｃ（ＣＮ）−
0003617843.tif 000224
【０２２０】
表１６の続き  １６−ｃ  Ｋ：＝Ｃ（ＣＮ）−
0003617843.tif 000225
【０２２１】
（１７）下記構造の染料
【化５５】
0003617843.tif 000226
（式中のＫは＝ＣＨ−、＝Ｃ（ＣＮ）−、＝Ｎ−を表し、Ｚは＝Ｏ又は＝Ｃ（ＣＮ）（Ｒ８）を表し、Ｑ´は炭素、水素、窒素、酸素及び硫黄からなる環であり、ｍ：０〜２の整数を表し、例えば、下記の環が挙げられる。）
【化５６】
0003617843.tif 000227
（Ｒ５は同一又は異なってもよく、Ｒ５又はＲ８は後に定義の通りであり、ｐは０〜４の整数を表す。）
【０２２２】
一般式１７の染料の具体例及び後述する熱転写シートに用いた場合の性能を以下の表１７に示す。
【化５７】
0003617843.tif 000228
【０２２３】
【化５８】
0003617843.tif 000229
【０２２４】
【化５９】
0003617843.tif 000230
【０２２５】
【化６０】
0003617843.tif 000231
【０２２６】
【化６１】
0003617843.tif 000232
【０２２７】
【化６２】
0003617843.tif 000233
【０２２８】
【表１７】
１７−１−ａ
0003617843.tif 000234
表１７の続き    １７−１−ｂ
0003617843.tif 000235
【０２２９】
表１７の続き  １７−１−ｃ
0003617843.tif 000236
表１７の続き  １７−２−ａ
0003617843.tif 000237
【０２３０】
表１７の続き  １７−２−ｂ
0003617843.tif 000238
表１７の続き  １７−２−ｃ
0003617843.tif 000239
【０２３１】
表１７の続き  １７−３−ａ
0003617843.tif 000240
【０２３２】
表１７の続き  １７−３−ｂ
0003617843.tif 000241
【０２３３】
表１７の続き  １７−３−ｃ
0003617843.tif 000242
【０２３４】
表１７の続き  １７−４−ａ
0003617843.tif 000243
【０２３５】
表１７の続き  １７−４−ｂ
0003617843.tif 000244
【０２３６】
表１７の続き  １７−４−ｃ
0003617843.tif 000245
【０２３７】
表１７の続き  １７−５−ａ
0003617843.tif 000246
表１７の続き  １７−５−ｂ
0003617843.tif 000247
【０２３８】
表１７の続き  １７−５−ｃ
0003617843.tif 000248
表１７の続き  １７−６−ａ
0003617843.tif 000249
【０２３９】
表１７の続き  １７−６−ｂ
0003617843.tif 000250
表１７の続き  １７−６−ｃ
0003617843.tif 000251
【化２４０】
（１８）下記構造の染料
【化６４】
0003617843.tif 000252
（式中のＫは−Ｎ＝Ｎ−を表し、ｍは０〜２の整数を表す。）
【０２４１】
【化６４】
0003617843.tif 000253
【０２４２】
【表１８】
１８−１
0003617843.tif 000254
【０２４３】
表１８の続き  １８−１
0003617843.tif 000255
【０２４４】
表１８の続き  １８−１
0003617843.tif 000256
【０２４５】
表１８の続き  １８−１
0003617843.tif 000257
【０２４６】
表１８の続き  １８−２
0003617843.tif 000258
【０２４７】
表１８の続き  １８−２
0003617843.tif 000259
【０２４８】
表１８の続き  １８−２
0003617843.tif 000260
【０２４９】
表１８の続き  １８−２
0003617843.tif 000261
【０２５０】
（１９）下記構造の染料
【化６５】
0003617843.tif 000262
（式中のＫは−Ｎ＝Ｎを表し、Ｑ´は何もないか或いは炭素、水素、窒素、酸素及び硫黄からなる環であり、ｍは０〜３の整数を表し、例えば、下記の環が挙げられる。）
【化６６】
0003617843.tif 000263
（Ｒ４、Ｒ５又はＲ６は後に定義の通りで、同一又は異なってもよく、ｐは０〜４の整数を表す）
一般式１９の染料の具体例及び後述する熱転写シートに用いた場合の性能を以下の表１９に示す。
【０２５１】
【化６７】
0003617843.tif 000264
【０２５２】
【化６８】
0003617843.tif 000265
【０２５３】
【表１９】
１９−１−ａ  Ｋ：−Ｎ＝Ｎ−
0003617843.tif 000266
【０２５４】
表１９の続き  １９−１−ｂ  Ｋ：−Ｎ＝Ｎ−
0003617843.tif 000267
【０２５５】
表１９の続き  １９−１−ｃ  Ｋ：−Ｎ＝Ｎ−
0003617843.tif 000268
【０２５６】
表１９の続き  １９−２−ａ  Ｋ：−Ｎ＝Ｎ−
0003617843.tif 000269
【０２５７】
表１９の続き  １９−２−ｂ  Ｋ：−Ｎ＝Ｎ−
0003617843.tif 000270
【０２５８】
表１９の続き  １９−２−ｃ  Ｋ：−Ｎ＝Ｎ−
0003617843.tif 000271
【０２５９】
表１９の続き  １９−３−ａ  Ｋ：−Ｎ＝Ｎ−
0003617843.tif 000272
表１９の続き  １９−３−ｂ  Ｋ：−Ｎ＝Ｎ−
0003617843.tif 000273
【０２６０】
表１９の続き  １９−３−ｃ  Ｋ：−Ｎ＝Ｎ−
0003617843.tif 000274
【０２６１】
（２０）下記構造の染料
【化６９】
0003617843.tif 000275
（式中のＫは−Ｎ＝Ｎ−を表し、Ｒ４は後に定義の通り）
一般式２０の染料の具体例及び後述する熱転写シートに用いた場合の性能を以下の表２０に示す。
【０２６２】
【化７０】
0003617843.tif 000276
【０２６３】
【化７１】
0003617843.tif 000277
【０２６４】
【表２０】
２０−１
0003617843.tif 000278
【０２６５】
表２０の続き  ２０−１
0003617843.tif 000279
【０２６６】
表２０の続き  ２０−１
0003617843.tif 000280
【０２６７】
表２０の続き  ２０−１
0003617843.tif 000281
【０２６８】
表２０の続き  ２０−２
0003617843.tif 000282
【０２６９】
表２０の続き  ２０−２
0003617843.tif 000283
表２０の続き  ２０−２
0003617843.tif 000284
【０２７０】
表２０の続き  ２０−３
0003617843.tif 000285
【０２７１】
表２０の続き  ２０−３
0003617843.tif 000286
【０２７２】
表２０の続き  ２０−３
0003617843.tif 000287
【０２７３】
（２１）下記構造の染料
【化７２】
0003617843.tif 000288
（式中のＫは＝Ｎ−を表し、Ｑ´は何もないか或いは炭素、水素、窒素、酸素及び硫黄からなる環であり、ｍは０〜４の整数を表し、例えば、下記の環が挙げられる。）
【０２７４】
【化７３】
0003617843.tif 000289
【０２７５】
【化７４】
0003617843.tif 000290
【０２７６】
【化７５】
0003617843.tif 000291
【０２７７】
【化７６】
0003617843.tif 000292
【０２７８】
【表２１】
２１−１−ａ  Ｋ：＝Ｎ−
0003617843.tif 000293
表２１の続き  ２１−１−ｂ  Ｋ：＝Ｎ−
0003617843.tif 000294
【０２７９】
表２１の続き  ２１−１−ｃ  Ｋ：＝Ｎ−
0003617843.tif 000295
【０２８０】
表２１の続き  ２１−２−ａ  Ｋ：＝Ｎ−
0003617843.tif 000296
【０２８１】
表２１の続き  ２１−２−ｂ  Ｋ：＝Ｎ−
0003617843.tif 000297
【０２８２】
表２１の続き  ２１−２−ｃ  Ｋ：＝Ｎ−
0003617843.tif 000298
【０２８３】
表２１の続き  ２１−３−ａ  Ｋ：＝Ｎ−
0003617843.tif 000299
【０２８４】
表２１の続き  ２１−３−ｂ  Ｋ：＝Ｎ−
0003617843.tif 000300
【０２８５】
表２１の続き  ２１−３−ｃ  Ｋ：＝Ｎ−
0003617843.tif 000301
【０２８６】
本発明の熱転写シートは以上の如き特定の染料を使用することを特徴とし、それ以外の構成は従来公知の熱転写シートの構成と同様でよい。
前記の染料を含む本発明の熱転写シートに使用する基材シートとしては、従来公知のある程度の耐熱性と強度を有するものであればいずれのものでもよく、例えば、０．５〜５０μｍ、好ましくは３〜１０μｍ程度の厚さの紙、各種加工紙、ポリエステルフイルム、ポリスチレンフイルム、ポリプロピレンフイルム、ポリスルホンフイルム、ポリカーボネートフイルム、アラミドフイルム、ポリビニルアルコールフイルム、セロファン等であり、特に好ましいものはポリエステルフイルムである。
【０２８７】
上記の如き基材シートの表面に設ける染料担持層は、前記一般式（Ｉ）の染料を任意のバインダー樹脂で担持させた層である。
前記の染料を担持する為のバインダー樹脂としては、従来公知のものがいずれも使用出来、好ましいものを例示すれば、エチルセルロース、ヒドロキシエチルセルロース、エチルヒドロキシセルロース、ヒドロキシプロピルセルロース、メチルセルロース、酢酸セルロース、酢酪酸セルロース等のセルロース系樹脂、ポリビニルアルコール、ポリ酢酸ビニル、ポリビニルブチラール、ポリビニルアセトアセタール、ポリビニルピロリドン、ポリアクリルアミド等のビニル系樹脂等が挙げられ、これらの中で特にポリビニルブチラール及びポリビニルアセタールが、耐熱性、染料の移行性等の点から好ましいものである。
【０２８８】
本発明の熱転写シートの染料担持層は、基本的には上記の材料から形成されるが、その他必要に応じて従来公知と同様な各種の添加剤をも包含し得るものである。
この様な染料担持層は、好ましくは適当な溶剤中に前記の染料、バインダー樹脂その他の任意成分を加えて各成分を溶解又は分散させて担持層形成用塗液又はインキを調製し、これを上記の基材シート上に塗布及び乾燥させて形成する。
この様にして形成する担持層は、０．２〜５．０μｍ好ましくは０．４〜２．０μｍ程度の厚さであり、又、担持層中の前記の染料は担持層の重量の５〜７０重量％、好ましくは１０〜６０重量％の量で存在するのが好適である。
上記の如き本発明の熱転写シートは、そのま迄熱転写用として十分に有用であるが、更にその染料担持層表面に粘着防止層、即ち離型層を設けてもよく、この様な層を設けることにより、熱転写時における熱転写シートと被転写材の粘着を防止し、更に高い熱転写温度を使用し、一層優れた濃度の画像を形成することが出来る。
【０２８９】
この離型層としては、単に粘着防止性の無機粉末を付着させたのみでも相当の効果を示し、更に、例えば、シリコーンポリマー、アクリルポリマー、フッ素化ポリマーの如き離型性に優れた樹脂から０．０１〜５μｍ、好ましくは０．０５〜２μｍの離型層を設けることによって形成することが出来る。
尚、上記の如き無機粉体或いは離型性ポリマーは染料担持層中に包含させても十分な効果を奏するものである。
更に、この様な熱転写シートの裏面に、サーマルヘッドの熱による悪影響を防止する為に耐熱層を設けてもよい。
【０２９０】
以上の如き熱転写シートを用いて、画像を形成する為に使用する被転写材は、その記録面が前記の染料に対して染料受容性を有するものであればいかなるものでもよく、又、染料受容性を有しない紙、金属、ガラス、合成樹脂等である場合には、その少なくとも一方の表面に染料受容層を形成すればよい。
上記の如き本発明の熱転写シート及び上記の如き被記録材を使用して熱転写を行う際に使用する熱エネルギーの付与手段は、従来公知の付与手段がいずれも使用出来、例えば、サーマルプリンター（例えば、日立製、ビデオプリンターＶＹ−１００）等の記録装置によって、記録時間をコントロールすることにより、５〜１００ｍＪ／ｍｍ２程度の熱エネルギーを付与することによって所期の目的を十分に達成することが出来る。
【０２９１】
【実施例】
次に実施例及び比較例を挙げて本発明を更に具体的に説明する。尚、文中、部又は％とあるのは特に断りの無い限り重量基準である。
実施例
下記組成の染料担持層形成用インキ組成物を調製し、背面に耐熱処理を施した６μｍ厚のポリエチレンテレフタレートフイルムに、乾燥塗布量が１．０ｇ／ｍ２になる様に塗布及び乾燥して本発明の熱転写シートを得た。
0003617843.tif 000302
但し、上記組成において染料が不溶な場合には、溶媒としてＤＭＦ、ジオキサン、クロロホルム等を適宜用いた。又、上記溶媒を使用しても十分には溶解しない場合には、その濾液を使用した。
【０２９２】
次に、基材シートとして合成紙（王子油化製、ユポＦＰＧ＃１５０）を用い、この一方の面に下記の組成の塗工液を乾燥時１０．０ｇ／ｍ２になる割合で塗布し、１００℃で３０分間乾燥して被転写材を得た。
0003617843.tif 000303
【０２９３】
前記の本発明の熱転写シートと上記の被転写材とを、夫々の染料担持層と染料受容面とを対向させて重ね合せ、熱転写シートの裏面からヘッド印加電圧１１Ｖ、印字時間１４．０ｍｓｅｃ．の条件でサーマルヘッドで記録を行い、前記表の結果を得た。
【０２９４】
比較例１〜５
実施例１における染料に代えて下記表２２の染料を使用し、他は実施例１と同様にして下記表２２の結果を得た。
【０２９５】
【表２２】
0003617843.tif 000304
尚、前記における発色濃度は米国マクベス社製のデンシトメーターＲＤ−９１８で測定した値である。
耐光性は、５０ＫＬｕｘのキセノンアーク光で２４時間照射後、画像のシャープさが変化しないものを○とし、僅かにシャープさが失われたものを△とし、シャープさが失なわれものを×とした。
【０２９６】
変異原性試験
前記本発明の中間体から得られた染料の代表例と、ピリジン環がフェニル環に代わっている以外は全く同一構造の対照染料について同一の変異原性試験としてＡｍｅｓ試験を行った。
Ａｍｅｓ試験は、サルモネラ菌ＴＡ１５３８及びＴＡ９８をプレインキュベーション法により代謝活性した状態（＋×９ｍｉｘ）で行った。１プレート当たりの染料濃度は、０〜５ｍｇの５段階にし、溶媒対照としてアセトンを用いた。毒性は溶媒対照に対するコロニーの増加倍率の最大値により判定し、復帰変異コロニーを溶媒対照の２倍以上増加させたものを陽性とし、一方、２倍未満のものを陰性として下記結果を得た。
【０２９７】
【表２３】
0003617843.tif 000305
【０２９８】
表２３の続き
0003617843.tif 000306
【０２９９】
【効果】
以上の如き本発明によれば、特定の構造の中間体とその中間体を原料とした染料を使用することによって、優れた発色濃度、鮮明性及び耐光性に優れた記録画像を与える熱転写シートが提供される。
【図面の簡単な説明】
【図１】本発明のピリジン誘導体のＨ−ＮＭＲの結果を示す図。
【図２】本発明のピリジン誘導体のＨ−ＮＭＲの結果を示す図。
【図３】本発明の染料の可視吸収スペクトルを示す図。
【図４】本発明の染料の可視吸収スペクトルを示す図。
【図１】
0003617843.tif 000310
【図２】
0003617843.tif 000311
【図３】
0003617843.tif 000312
【図４】
0003617843.tif 000313